(57)【要約】【課題】  刈刃軸に過大な荷重がかかっても、刈刃軸が下方に脱落しないようにする。【解決手段】  ヘッドケースに上下のベアリングで回転可能に縦設され、伝動軸から駆動側ベベルギアと従動側ベベルギアを介して動力を伝達される草刈機の刈刃軸構造であり、刈刃軸の頂部に落下防止ボルトをヘッドケースに間隔を設けて重合させて螺入する。【選択図】  図１
2009296936.tif 000002
【特許請求の範囲】
【請求項１】
ヘッドケースに上下のベアリングで回転可能に縦設され、伝動軸から駆動側ベベルギアと従動側ベベルギアを介して動力を伝達される草刈機の刈刃軸構造であり、刈刃軸の頂部に落下防止ボルトをヘッドケースに間隔を設けて重合させて螺入したことを特徴とする草刈機の刈刃軸構造。
【請求項２】
ヘッドケースの頂部に座繰り孔を形成し、落下防止ボルトの頭部を座繰り孔に埋入させた請求項１の草刈機の刈刃軸構造。
【発明の詳細な説明】
【技術分野】
【０００１】
本発明は、刈払い式の草刈機において、刈刃を取り付ける刈刃軸構造に関するものである。
【背景技術】
【０００２】
刈払い式の草刈機（以下、草刈機という）は、ヘッドケースに上下二つのベアリングで回転可能に縦設された刈刃軸をヘッドケースの下に覗かせ、これに円盤からなる刈刃を取り付けている（下記特許文献１）。そして、ヘッドケースに伝動筒（操作杆）を突入させ、伝動筒の端部に取り付けたエンジンやモータで駆動される伝動軸を伝動筒の内部に挿通して伝動軸の動力を駆動側ベベルギアから従動側ベベルギアを経て刈刃軸に伝えている。この場合、刈刃軸に上側ベアリングと従動側ベベルルギアを組み込んだものを（又は下側ベアリングも組み込んで）ヘッドケースの下から挿入した後に下側ベアリングを挿入してその外輪をスナップリングで止める組付けをしていた。
【０００３】
これによると、刈刃軸の下方への脱落防止はスナップリングに頼ることになる。ところが、下側ベアリング付近には土砂や草屑が入り込み、刈刃軸には過大な荷重がかかる。このような場合、スナップリングはヘッドケースにわずかな量でしか嵌入していないため、肉が削がれて外れることがある。また、下側ベアリングが破損して内輪と外輪とが分離することもある。このような場合、刈刃軸は上側ベアリングと従動側ベベルギアから抜け外れて（従動側ベベルギアは駆動側ベベルギアの上方に乗り掛かった状態で配置されていて下方には移動しないから）下方に脱落することになり、非常に危険な状態になる。
【０００４】
このため、下記特許文献２では、刈刃軸を上側ベアリングの内輪の上方でスナップリングで止めて第二次的な脱落防止を図っている。しかし、スナップリングの嵌入代はじょうきじたようにわずかであるから、宙ぶらりんの状態の刈刃軸の過大な荷重によって同じように肉が削がれ、脱落することがある。また、この構成によると、刈刃軸は上側ベアリング等に対して下方には移動できないから、組立時の調整が難しいといったことがある。
【特許文献１】実開平０７−０１７０１９号公報
【特許文献２】特開２００５−２３７２６５号公報
【発明の開示】
【発明が解決しようとする課題】
【０００５】
本発明は、このような課題を解決するものであり、いざというときには、ヘッドケースと係合する落下防止ボルトを使用することで、過大な荷重がかかったときにも、刈刃軸が脱落しないようにしたものである。
【課題を解決するための手段】
【０００６】
以上の課題の下、本発明は、請求項１に記載した、ヘッドケースに上下のベアリングで回転可能に縦設され、伝動軸から駆動側ベベルギアと従動側ベベルギアを介して動力を伝達される草刈機の刈刃軸構造であり、刈刃軸の頂部に落下防止ボルトをヘッドケースに間隔を設けて重合させて螺入したことを特徴とする草刈機の刈刃軸構造を提供するとともに、これにおいて、請求項２に記載した、ヘッドケースの頂部に座繰り孔を形成し、落下防止ボルトの頭部を座繰り孔に埋入させた手段を提供する。
【発明の効果】
【０００７】
請求項１の発明によると、スナップリングの抜け外れやベアリングが破損したりする非常事態には、落下防止ボルトがヘッドケースに係合するから、脱落はない。また、請求項２の手段によると、回転している落下防止ボルトはヘッドケースの頂面から覗かず、安全である。
【発明を実施するための最良の形態】
【０００８】
以下、本発明の実施の形態を図面を参照して説明する。図１は本発明に係る草刈機のヘッドケースの断面図であるが、草刈機のヘッドケース１は、主体部２と、主体部２の側面に斜め上方から接続されている接続部３とをアルミダイカスト等で一体成形したものである。そして、主体部２の内部に上側ベアリング４と下側ベアリング５が嵌装されており、これら両ベアリング４、５に刈刃軸６が縦方向に挿通されて回転可能に支持されている。なお、両ベアリング４、５の内輪に対しては刈刃軸６に段が形成されていてこの段で押し付けて上方及び下方への移動を規制している。
【０００９】
そして、上側ベアリング４と下側ベアリング５の間の刈刃軸６には従動側ベベルギア７が嵌合されている。また、主体部２の下部の刈刃軸６には、一部がヘッドケース１に入り込む押えカップ８が取り付けられており、押えカップ８の下に刈刃９を挿入してその下から押えリング１０を挿入している。押えリング１０の下方の刈刃軸６にはネジが形成されており、これに締付けナット１１を螺合して刈刃９を押えカップ８と押えリング１０とで締め付けている。
【００１０】
さらに、接続部３の中には伝動筒（操作杆）１２が挿入され、伝動筒１２の内部には、強制駆動される伝動軸１３が挿通しており、伝動軸１３の先端に従動側ベベルギア７と噛み合う駆動側ベベルギア１４がベアリング１５で支持されている。以上により、伝動軸１３を駆動すると、その動力は駆動側ベベルギア１４から従動側ベベルギア７を介して刈刃軸６に伝達され、刈刃９を回転させて草刈りを行うのである。
【００１１】
本発明は、以上の構成において、刈刃軸６の頂部に落下防止ボルト１６を螺入するのである。すなわち、刈刃軸６の頂部にねじ孔１７を螺設し、このねじ孔１７に落下防止ボルト１６を螺入する。この場合の落下防止ボルト１６は、頭部に二段のフランジ１６ａ、１６ｂが形成されたもので、下側の径の小さなフランジ１６ａは落下防止ボルト１６を締め切った状態で上側ベアリング４の内輪を押し、上側の径の大きなフランジ１６ｂはヘッドケース１の頂部に形成された座繰り孔１８に埋入させてある。
【００１２】
この場合、落下防止ボルト１６は刈刃軸６と一体になって回転するから、上側フランジ１６ｂと座繰り孔１８の底との間には一定の間隔を設けている。また、上側フランジ１６ｂの頂面は座繰り孔１８の上面と面一かやや下方に埋入させてある。安全を考慮してのものである。以上により、万一、刈刃軸６が脱落する状態になったとしても、落下防止ボルト１６がヘッドケース１に遮られて脱落が防止される。なお、この状態になったら、修理することになる。この他、締付けナット１１や落下防止ボルト１６は刈刃９の回転方向に対して締付け勝手となっている。
【図面の簡単な説明】
【００１３】
【図１】本発明に係る草刈機のヘッドケースの断面図である。
【符号の説明】
【００１４】
１    ヘッドケース
２          〃    の主体部
３          〃    の接続部
４    上側ベアリング
５    下側ベアリング
６    刈刃軸
７    従動側ベベルギア
８    押えカップ
９    刈刃
１０  押えリング
１１  締付けナット
１２  伝動筒
１３  伝動軸
１４  駆動側ベベルギア
１５  ベアリング
１６  落下防止ボルト
１６ａ      〃      の下側フランジ
１６ｂ      〃      の上側フランジ
１７  ねじ孔
１８  座繰り孔
【図１】
2009296936.tif 000003